(57)【要約】【課題】ごみ容器をインジェクションブロー成形によって成形するに際して、投入口と誤解しないようにネック部の開口を確実に閉鎖する。【解決手段】インジェクションブロー成形法によって容器本体２および蓋体３を一体に成形し、容器本体２と蓋体３との接続部を切断除去して形成されるごみ容器１において、蓋体３に形成されたネック部に把手部４ｂを有するキャップ４が一体に取り付けられている。このため、キャップ４の把手部４ｂを把握して蓋体３を容器本体２から取り外すことができる。【選択図】  図１
2006315790.tif 000002
【特許請求の範囲】
【請求項１】
インジェクションブロー成形法によって容器本体および蓋体を一体に成形し、容器本体と蓋体との接続部を切断除去して形成されるごみ容器において、蓋体に形成されたネック部に把手部を有するキャップが一体に取り付けられていることを特徴とするごみ容器。
【請求項２】
前記容器本体および蓋体が透明体であり、キャップが有色体であることを特徴とする請求項１記載のごみ容器。
【請求項３】
前記蓋体に投入口が形成されていることを特徴とする請求項１または２記載のごみ容器。
【請求項４】
前記容器本体に蓋体がフック部材を介して着脱自在に固定されていることを特徴とする請求項１、２、３のいずれかに記載のごみ容器。
【発明の詳細な説明】
【技術分野】
【０００１】
この発明は、ペットボトルや缶あるいは一般ごみなどのごみ容器に関するものである。
【背景技術】
【０００２】
一般に、プラスチック容器を成形するには、予め容器に対応して成形されたプリフォームを加熱し、空気を吹き込んで容器形状に成形するインジェクションブロー成形法が採用されている。
【０００３】
一方、プリフォームの射出成形、延伸ブロー成形、製品の取り出しを一連の工程で行うインジェクションブロー成形法も提案されており、飲料品などのボトリングメーカーにおけるプリフォームの再加熱が不要となるなどの利点から、近年、ボトリングメーカーに導入されるようになっている。特に、何十リットルサイズといった大型の容器、例えば、ごみ容器などにおいては、ごみ容器に対応する大きさのプリフォームを再加熱してブロー成形することが容易でないことから、後者のインジェクションブロー成形法にて成形することが考えられる。
【０００４】
この場合、図７に示すように、ごみ容器１を構成する容器本体２および蓋体３を接続部ｘを介して一体に成形した後、接続部ｘを切断除去して容器本体２と蓋体３とに分離し（図８参照）、容器本体２に蓋体３を組み合わせてごみ容器１に形成することになる。
【０００５】
なお、インジェクションブロー成形法に限らず、ごみ容器をプラスチックにて成形することは、広く行われている（例えば、特許文献１参照）。
【特許文献１】特開平８−２３９１０１号公報
【発明の開示】
【発明が解決しようとする課題】
【０００６】
ところで、前述したインジェクションブロー成形法で成形されたごみ容器には、プリフォームに空気を吹き込むための開口されたネック部３１（図７参照）が形成され、このネック部３１の開口を閉鎖する必要がある。すなわち、ネック部３１にキャップを装着してその開口を閉鎖することになるが、その際、キャップを缶などの投入口と誤解し、缶などを投棄するためにキャップを取り外そうと誤動作するおそれがある。
【０００７】
本発明は、このような問題点に鑑みてなされたもので、ごみ容器をインジェクションブロー成形法によって成形するに際して、投入口と誤解しないようにネック部の開口を確実に閉鎖することのできるごみ容器を提供するものである。
【課題を解決するための手段】
【０００８】
本発明は、インジェクションブロー成形法によって容器本体および蓋体を一体に成形し、容器本体と蓋体との接続部を切断除去して形成されるごみ容器において、蓋体に形成されたネック部に把手部を有するキャップが一体に取り付けられていることを特徴とするものである。
【０００９】
本発明によれば、蓋体のネック部に、把手部を有するキャップが一体に取り付けられていることにより、キャップの把手部を把握して蓋体の取り外しの際に利用することができる。このため、キャップが蓋体の把手であることを一目で把握することができ、投入口と誤解してキャップを回転させるなどの誤動作するおそれを解消することができる。
【００１０】
本発明において、前記容器本体および蓋体が透明体であり、キャップが有色体であると、容器本体に投棄された缶や一般ごみなどの量や内容を把握することができるとともに、透明体という斬新なデザインによる美観を演出することができる。
【００１１】
本発明において、前記蓋体に投入口が形成されていると、蓋体を開放することなく缶やペットボトルなどの容器を投棄することができ、好ましい。この場合、容器に合わせて投入口の大きさおよび形状を変化させることができる。
【００１２】
本発明において、前記容器本体に蓋体がフック部材を介して着脱自在に固定されていると、容器本体に蓋体を固定することができ、好ましい。
【発明の効果】
【００１３】
本発明によれば、ごみ容器をインジェクションブロー成形法によって成形するに際して、ネック部の開口を投入口と誤解しないように確実に閉鎖することができる。
【発明を実施するための最良の形態】
【００１４】
以下、本発明の実施の形態を図面に基づいて説明する。
【００１５】
図１および図２には、本発明のごみ容器１の一実施形態が示されている。
【００１６】
このごみ容器１は、ほぼ角筒状の容器本体２と、容器本体２の上端開口部の周縁に着脱自在に装着されて、その上端開口部を覆うほぼ角錐台状の蓋体３と、蓋体３に一体に取り付けられたキャップ４と、蓋体３に回動自在に設けられて、容器本体２に対して蓋体３を固定するフック部材５と、から構成されている。
【００１７】
ここで、ごみ容器１を構成する容器本体２および蓋体３は、透明体であって、図７および図８に示したように、インジェクションブロー成形法によって容器本体２および蓋体３を接続部ｘとともに一体に成形し、その後、接続部ｘを切断除去して容器本体２と蓋体３とに分離されたものである。
【００１８】
なお、蓋体３には、その上面にインジェクションブロー成形法に際して空気を吹き込むためのネック部３１が上方に向けて延出されている他、その一傾斜面に投入口３ａが形成されている。
【００１９】
一方、キャップ４は、有色体であって、図３乃至図５に示すように、容器本体２および蓋体３とは別個に成形されたものであり、略球冠形状に形成され、蓋体３のネック部３１を除く上面の外周縁に連続するように外周縁が形成されている。そして、キャップ４の裏面に蓋体３のネック部３１に装着可能な係止部４１ａを有する係止片４１が垂設されるとともに、その表面側に上方より見て、左右対称な一対の凹部４ａが形成され、そのため、一対の凹部４ａ間に位置して設定幅の把持部４ｂが形成されている。
【００２０】
ここで、キャップ４は、その係止片４１を蓋体３のネック部３１に強制的に押し込むことにより、係止部４１ａを介して蓋体３に一体に取り付けられる。
【００２１】
このように構成されたごみ容器１は、詳細には図示しないが、内部にゴミ袋が収容されるとともに、係止され、家庭、工場、オフィス、駅、イベント会場などに配置される。そして、ペットボトルや缶などを蓋体３の投入口３ａを通して投棄することができる。この際、容器本体２および蓋体３が透明であることから、内部に投棄された缶などの容器の種類や内容あるいは量を直観して把握することができるとともに、透明体という斬新なデザインによる美観を演出することができる。
【００２２】
容器が一定量収容されて、ゴミ袋を交換する必要が生じた場合は、フック部材５による固定を解除した後、キャップ４の把手部４ｂを把握して持ち上げれば、容器本体２から蓋体３を離脱させることができる。次いで、係止状態を解除して容器が収容されたゴミ袋を引き上げ、代わりに新しいゴミ袋を収納した後、キャップ４の把手部４ｂを把握して蓋体３を容器本体２に装着し、フック部材５を操作して蓋体３を容器本体２に固定すればよい。
【００２３】
このように蓋体３に一体に取り付けられたキャップ４に該蓋体４を把握するための把手部４ｂを形成したことにより、キャップ４が投入口ではないことを一目で把握することができ、キャップ４を回転させるなどの誤動作を確実に防止することができる。
【００２４】
なお、ペットボトル、スチール缶、アルミ缶などの容器の種類に合わせて投入口３ａを形成した蓋体３を用意するとともに、各蓋体３に対応する複数個の容器本体２を用意することにより、各種容器毎に分別収集することが可能となる。
【００２５】
また、前述した実施形態においては、キャップ４を有色体とした場合を例示したが、必ずしも有色体である必要はなく、透明体であってもよい。
【００２６】
ところで、前述した実施形態においては、蓋体３に投入口３ａを形成したごみ容器１を例示したが、図６に示すように、蓋体３には、必ずしも投入口を形成する必要はない。このようなごみ容器１も、家庭、工場、オフィス、駅、イベント会場などに配置されて、一般ごみなどを収集する場合に使用することができる。
【００２７】
なお、図６に示す実施形態のごみ容器１については、先に説明したごみ容器１と同一の部材に同一の符号を付して、その詳細な説明を省略する。
【図面の簡単な説明】
【００２８】
【図１】本発明のごみ容器の一実施形態を示す斜視図である。
【図２】図１のごみ容器の縦断面図である。
【図３】図１のごみ容器の蓋体に取り付けられたキャップの平面図である。
【図４】図３のＡ−Ａ線半断面図である。
【図５】図３のＢ−Ｂ線半断面図である。
【図６】本発明のごみ容器の他の実施形態を示す斜視図である。
【図７】インジェクションブロー成形法によって成形されたごみ容器の成形品を示す断面図である。
【図８】図７の成形品の接続部を除去して容器本体と蓋体に分離したゴミ容器を示す断面図である。
【符号の説明】
【００２９】
１  ごみ容器
２  容器本体
３  蓋体
３１  ネック部
４  キャップ
４ｂ  把手部
５  フック部材
【図１】
2006315790.tif 000003
【図２】
2006315790.tif 000004
【図３】
2006315790.tif 000005
【図４】
2006315790.tif 000006
【図５】
2006315790.tif 000007
【図６】
2006315790.tif 000008
【図７】
2006315790.tif 000009
【図８】
2006315790.tif 000010